(57)【要約】【課題】  移動対象とする装置を、サービスマン等が、簡単に移動することができる移動装置を提供することを目的とする。【解決手段】  装置本体１１の底面１２にキャスタ１３を有する装置１を移動させる移動装置２において、装置本体１１の底面１２近傍に係合するフック部３及び、一対の車輪４１間を連結する車軸４２を回転可能に軸支する車軸部４を有する連結部５と、車輪４１を回動するための操作棒６１を有し、車軸４２に装着されたラチェット機構６とを備え、操作棒６１を回動することにより、ラチェット機構６を介して回転力を車軸４２に伝達し、車輪４１を回動するように構成する。【選択図】  図１
2006151108.tif 000002
【特許請求の範囲】
【請求項１】
装置本体の底面にキャスタを有する装置を移動させる移動装置において、
前記装置本体の底面近傍に係合するフック部及び、一対の車輪間を連結する車軸を回転可能に軸支する車軸部を有する連結部と、前記車輪を回動するための操作棒を有し、前記車軸に装着されたラチェット機構とを備え、前記操作棒を回動することにより、前記ラチェット機構を介して回転力を前記車軸に伝達し、前記車輪を回動するように構成したことを特徴とする移動装置。
【請求項２】
前記連結部は、当該連結部の中間部分で水平面に対して回転可能に形成されていることを特徴とする請求項１に記載の移動装置。
【請求項３】
前記操作棒は、当該操作棒の前記中間部分で折りたたみ可能に形成されていることを特徴とする請求項１または請求項２に記載の移動装置。
【請求項４】
前記操作棒は、前記車軸に回動自在に取り付けられた保持部にネジ込方式により取付けられ、前記操作棒が前記保持部に対して着脱自在に設けられていることを特徴とする請求項１または請求項２に記載の移動装置。
【発明の詳細な説明】
【技術分野】
【０００１】
本発明は、装置本体の底面にキャスタを有するフロアタイプの装置、例えば、複写機及びプリンタ等の画像形成装置を移動する移動装置に関し、特に装置本体の保守、点検時等に、サービスマンが簡単に移動できるようにしたものである。
【背景技術】
【０００２】
一般的に、フロアタイプの装置、例えば、複写機及びプリンタ等の画像形成装置にあっては、スペース等の関係から装置本体の背面を、壁面に略接した状態で据付けられる。従って、装置本体の保守、点検時等に際し、サービスマンが装置本体の背面側カバーを開け内部を保守、点検する場合には、一人で装置本体を前面側に移動する必要がある。ところが、前面側、即ち、手前に引き出す場合には、装置を押す場合に比べ、特に力が入りにくい。また、装置本体に手を掛ける部分が適切でないと、装置の外カバーなどを破損することとなる。
【０００３】
従来、移動対象となる装置、例えば、画像形成装置にあっては、装置本体の底面の四隅に配置したキャスタの略中央に、高さが高く突出したキャスタを１個設けて構成したものがある。（例えば、特許文献１参照）。
【特許文献１】特開２００２−２６４４３２号公報
【発明の開示】
【発明が解決しようとする課題】
【０００４】
しかし、上述の特許文献１記載の構成では、前述の通り、装置本体の保守、点検時等に際し、サービスマンが装置本体の背面側カバーを開け内部を保守、点検するために、装置本体を手前に引き出す場合には、装置を押す場合に比べ、力が入りにくい。従って、単に装置本体を移動するために、多くの人手と労力を必要とするうえに、必要な場所に簡単に移動させることができない。また、装置本体に手を掛ける部分が適切でないと、装置の外カバーなどを破損することとなる、等といった問題がる。
【０００５】
本発明は、上述した課題を解決するためになされたものであり、サービスマン等が、移動対象とする装置を、簡単に移動することができる移動装置を提供することを目的とする。
【課題を解決するための手段】
【０００６】
上記目的を達成するために、請求項１記載の発明では、装置本体の底面にキャスタを有する装置を移動させる移動装置において、装置本体の底面近傍に係合するフック部及び、一対の車輪間を連結する車軸を回転可能に軸支する車軸部を有する連結部と、車輪を回動するための操作棒を有し、車軸に装着されたラチェット機構とを備え、操作棒を回動することにより、ラチェット機構を介して回転力を前記車軸に伝達し、車輪を回動するように構成する。
【０００７】
請求項２記載の発明では、連結部は、当該連結部の中間部分で水平面に対して回転可能に形成されている。
請求項３記載の発明では、操作棒は、当該操作棒の中間部分で折りたたみ可能に形成されている。
【０００８】
請求項４記載の発明では、操作棒は、車軸に回動自在に取り付けられた保持部にネジ込方式により取付けられ、操作棒が保持部に対して着脱自在に設けられている。
【発明の効果】
【０００９】
請求項１記載の発明の構成によれば、移動対象となる装置本体の底面近傍に、移動装置のフック部を引っ掛け、ラチェット機構の操作棒を前方方向に回動すれば、ラチェット機構が装着された車軸が回動し、これに伴って一対の車輪が回動して、装置本体を１人で簡単に移動することができる。また、この移動に際して、装置本体の底面近傍にフック部を引っ掛けているので、装置の外カバーなどを破損する危惧は全く無い。
【００１０】
請求項２記載の発明の構成によれば、連結部は、当該連結部の中間部分で水平面に対して回転可能に形成されているので、装置本体を牽引して移動する際、方向転換を容易に行うことができる。
【００１１】
請求項３記載の発明の構成によれば、操作棒は、当該操作棒の中間部分で折りたたみ可能に形成されているので、不使用時における移動装置自身の収納性が向上し、サービスマン等が持ち運びする際に、都合が良い。
【００１２】
請求項４記載の発明の構成によれば、操作棒は、車軸に回動自在に取り付けられた保持部にネジ込方式により取付けられ、操作棒が保持部に対して着脱自在に設けられている。従って、不使用時における移動装置自身の収納性が向上し、サービスマン等が持ち運びする際に、都合が良い。
【発明を実施するための最良の形態】
【００１３】
（第１実施形態）
以下に、本発明の具体的な第１実施形態について図１乃至図３に基づいて説明する。図１は、本発明の第１実施形態に係る移動装置の概略構成を示す斜視図、図２は、図１に示す移動装置の概略構成を示す平面図である。図３は、図１に示す移動装置の要部の概略構成を示す斜視図である。
【００１４】
図１に示す移動対象となる装置１は、例えば、画像形成装置であって、移動装置２により所定の場所に移動される。この移動対象となる装置１は、装置本体１１の底面１２の、例えば、四隅近傍にキャスタ１３を備えている。移動装置２は、装置１１本体の底面近傍に係合するフック部３及び、一対の車輪４１間を連結する車軸４２を回転可能に軸支する車軸部４を有する連結部５と、車輪４１を回動するための操作棒６１を有し、車軸４２に装着されたラチェット機構６とを備えている。そして、操作棒６１を回動することにより、ラチェット機構６を介して回転力を車軸４２に伝達し、車輪４１を回動するように構成されている。
【００１５】
ラチェット機構６は、図３に示すように、車軸４２と同軸に設けられたラチェット歯車６２と、ラチェット歯車６２を回動するラチェット爪６３と、ラチェット爪６３及び操作棒６１が装着され、車軸４２に回動自在に取り付けられた保持部６４と、常時ラチェット爪６３をラチェット歯車６２の歯６２ａに向かって付勢するバネ部材６５とから形成されている。
【００１６】
ラチェット歯車６２と車軸４２とは図示しないピン等によりにより一体に結合されている。これにより、操作棒６１を回動すると、操作棒６１に保持部６４を介して一体結合されたラチェット爪６３が、ラチェット爪６３と係合関係にあるラチェット歯車６２を回転し、車軸４２が回り、車軸４２に取付けられた車輪４１も回動する。
【００１７】
連結部５は、例えば、その中間部分で２分割され、フック部３側のフック側連結片５１と、車軸部４側の車軸側連結片５２とを、連結軸５３により連結して、いわゆる、軸継手を形成し、水平面に対して左右方向に回転可能に構成されている。これにより、装置本体１１を牽引して移動する際、左右への方向転換を容易に行うことができる。
【００１８】
また、図３に示すように、操作棒６１は、把手部６１ａと、取付け部６１ｂとに２分割され、中間部分でピン６１ｃにより、折りたたみ可能に形成されている。また、図示しないロック機構により、操作棒６１を回動する際には、折りたためないようにロックされるように形成されている。これにより、不使用時における移動装置２自身の収納性が向上する。
【００１９】
次に、本実施形態による移動装置２を用いて装置１を移動する場合について、図４を参照して説明する。図４は、本実施形態による移動装置２を用いて装置１を移動する状況を説明するための説明図である。なお、図４において、図１乃至図３と同じ符号を付した部分は、同一のものを示す。
【００２０】
先ず、図４に示すように移動対象である装置１が、建屋の壁面７に近接して据え付けられている場合、底面１２近傍のアングル等の枠体（不図示）に、移動装置２のフック部３を係合する。そして、移動装置２の操作棒６１を進行方向に回動すると、操作棒６１に一体結合されたラチェット爪６３が、ラチェット歯車６２を回転し、車軸４２が回り、車軸４２に取付けられた車輪４１が回動し、移動装置２とともに、装置１が前方に移動する。この操作を所望の距離移動するまで繰り返す。
【００２１】
なお、この移動に際して、移動装置２の車輪４１には、装置本体１１に設けられたキャスタ１３のように、大きな加重が掛かっていないので、牽引時に車輪４１が空回りする可能性があるが、その場合には、例えば、図４に示すように牽引者自身が、連結部５に片足を乗せて体重を掛け、車輪４１と、床面との間に十分な摩擦が発生するようにすれば良い。
【００２２】
以上の構成による本実施形態によれば、移動対象となる装置本体１１の底面１２近傍に、移動装置２のフック部３を引っ掛け、ラチェット機構６の操作棒６１を前方方向に回動すれば、ラチェット機構６が装着された車軸４２が回動し、これに伴って車軸４２により連結された一対の車輪４１が回動して、装置本体１１を１人で簡単に移動することができる。また、この移動に際して、装置本体１１の底面１２近傍にフック部３を引っ掛けているので、装置１の外カバーなどを破損する危惧は全く無い。
【００２３】
また、移動装置２は、装置本体１１に常時付設する必要は無く、例えば、保守、点検時等移動する際のみに準備すればよく、移動対象とする装置１の価格に影響を与え、装置１の価格高騰を招来することがない。
【００２４】
また、連結部は、中間部分で２分割され、フック部３側のフック側連結片５１と、車軸部４側の車軸側連結片５２とを、連結軸５３により連結して、軸継手を形成し、水平面に対して左右方向に回転可能に構成されている。従って、装置本体１１を牽引して移動する際、方向転換を容易に行うことができる。
【００２５】
更に、操作棒６１は、把手部６１ａと、取付け部６１ｂとに２分割され、中間部分でピン６１ｃにより、折りたたみ可能に形成されているので、不使用時における移動装置自身の収納性が向上し、サービスマン等が持ち運びする際に、都合が良い。
【００２６】
（第２実施形態）
次に、本発明の第２実施形態について図５を参照しながら説明する。図５は、本発明の第２実施形態に係る移動装置の要部を示す概略構成図である。図５において、図１乃至図４と同じ符号を付した部分は、略同一のものを示す。
【００２７】
本実施形態では、操作棒６１の保持部６４側に、雄ネジ部６１ｄを形成し、車軸４２に回動自在に取り付けられた保持部６４の操作棒６１側に、操作棒６１の雄ネジ部６１ｄがネジ込まれる（螺合する）雌ネジ穴６４ｄを形成し、操作棒６１が保持部６４に対して着脱自在に設けられている。
【００２８】
以上の構成によれば、操作棒６１は、車軸４２に回動自在に取り付けられた保持部６４にネジ込方式により取付けられ、操作棒６１が保持部６４に対して着脱自在に設けられている。従って、不使用時における移動装置２自身の収納性が向上し、サービスマン等が持ち運びする際に、都合が良い。
【００２９】
なお、上述した各実施形態は、本発明の好適な実施形態であるが、本発明はこれに限定されるものではなく、本発明の要旨を逸脱しない範囲において、種々変形実施可能である。
【００３０】
例えば、上述した実施形態では、移動装置２の車輪４１に荷重をかけるために、牽引者自身が片足を乗せる場合について述べたが、単に連結部５に足を乗せたのでは、滑るなど不安定な牽引操作となることがある。このような場合には、連結部５の上面に片足を乗せても滑らないように滑り止め加工を施した足置部を形成しても良いのは勿論である。
【００３１】
また、装置本体１１の底面１２近傍に引っ掛けるフック部３の底面に、補助キャスタを設け、移動装置２自身の持ち運びに供し、また、牽引時にフック部３が床面に接触し、床面を損傷するのを防止するようにしても良いのは勿論である。
【００３２】
また、上述の各実施形態では、装置本体１１の保守、点検時に移動する場合について述べたが、本発明に係る移動装置は、フロアタイプの装置１を据付する場合にも用いることができるのは勿論である。
【産業上の利用可能性】
【００３３】
本発明の活用例としては、フロアタイプの画像形成装置等を移動する移動装置が挙げられる。
【図面の簡単な説明】
【００３４】
【図１】本発明の第１実施形態に係る移動装置の概略構成を示す斜視図である。
【図２】図１に示す移動装置の概略構成を示す平面図である。
【図３】図１に示す移動装置の要部の概略構成を示す斜視図である。
【図４】第１実施形態による移動装置２を用いて装置を移動する状況を説明するための説明図である。
【図５】本発明の第２実施形態に係る移動装置の要部を示す概略構成図である。
【符号の説明】
【００３５】
１…装置、２…移動装置、３…フック部、４…車軸部、５…連結部、６…ラチェット機構、１１…装置本体、１２…底面、１３…キャスタ、４１…車輪、４２…車軸、６１…操作棒、６４…保持部
【図１】
2006151108.tif 000003
【図２】
2006151108.tif 000004
【図３】
2006151108.tif 000005
【図４】
2006151108.tif 000006
【図５】
2006151108.tif 000007